(57)【特許請求の範囲】
【請求項１】
帳票処理部に挿入された払込通知票のイメージから領収証部分のイメージをイメージ切り取り手段により切り取ると共に、前記払込通知票から払込に必要な情報を読み取り、前記払込に必要な情報に基づく払込金額を清算金額として表示手段に表示して、
これにより現金処理部に投入された現金を処理した後、
前記イメージ切り取り手段により切り取った領収証部分のイメージを、前記帳票処理部で読み取った払込に必要な情報と共に領収証発行部で媒体に印字して領収証として発行することを特徴とする料金清算装置。
【請求項２】
帳票処理部に挿入された払込通知票のイメージから領収証部分のイメージをイメージ切り取り手段により切り取ると共に、前記払込通知票から払込先、払込金額、払込人の情報を読み取り、前記払込金額を清算金額として表示手段に表示して、
これにより現金処理部に投入された現金を処理した後、
前記イメージ切り取り手段により切り取った領収証部分のイメージを、前記帳票処理部で読み取った払込先や、払込金額、払込人の情報と共に領収証発行部で媒体に印字して領収証として発行することを特徴とする料金清算装置。
【請求項３】
帳票処理部に挿入された払込通知票のイメージから領収証部分のイメージをイメージ切り取り手段により切り取ると共に、前記払込通知票から払込先、払込金額、払込人の情報を読み取って、前記切り取ったイメージの領収印捺印部分に領収印イメージ生成手段で生成した領収印のイメージを重ね合わせて領収証イメージとし、
前記払込金額を清算金額として表示手段に表示して、これにより現金処理部に投入された現金を処理した後、
前記領収証イメージを、前記帳票処理部で読み取った払込先や、払込金額、払込人の情報と共に領収証発行部で媒体に印字して領収証として発行することを特徴とする料金清算装置。
【発明の詳細な説明】
【０００１】
【発明の属する技術分野】
本発明は、金融機関等で収納代行される電気、ガス等の料金の払込通知票を受入れ、払込通知票に表記された現金の処理と領収証の発行を行う装置に関するものである。
【０００２】
【従来の技術】
図７は従来の清算装置を示す斜視図である。
この清算装置は、電気料金やガス料金等の各種の払込通知票を処理する帳票処理部２１、払込現金を清算処理する紙幣処理部２２と硬貨処理部２３、顧客またはオペレータに清算金額を通知するディスプレイ２４、及び装置全体の動作を制御する制御部２５を備えており、前記帳票処理部２１は、図８に示すように払込通知票の記載文字等を光学的に読み取る読み取り部２６、払込通知票の領収書部分に領収印を捺印する捺印部２７、払込通知票から領収書部分を切り離す切り取り返却機構２８により構成されている。
【０００３】
この構成の作用は次の通りである。
まず、顧客またはオペレータにより払込通知票が帳票処理部２１に挿入されると、読み取り部２６により払込通知票に表記されている払込先や、払込金額、払込人の情報を読み取り、読み取った情報を制御部２５に通知する。
制御部２５は通知された情報に基づいて清算金額をディスプレイ部２４に表示し、顧客またはオペレータに通知する。
【０００４】
表示された金額に応じた現金を顧客またはオペレータが紙幣処理部２２及び硬貨処理部２３に投入すると、この紙幣処理部２２及び硬貨処理部２３により投入現金が処理され、清算が行われる。
そして、清算処理が終了すると、制御部２５は帳票処理部２１に清算が済んだ旨の情報を通知する。
【０００５】
これにより帳票処理部２１の捺印部２７は払込通知票の領収証部分に領収印を捺印し、そして切り取り返却機構２８は領収印を捺印した領収証部分を払込通知票から切り離して顧客またはオペレータに返却する。
【０００６】
【発明が解決しようとする課題】
しかしなら、上述した従来の技術では、払込通知票の領収証部分に領収印を捺印し、この領収証部分を切り取り返却機構により払込通知票から切り離して顧客またはオペレータに返却する構造を採用しているため以下の問題がある。
すなわち、この種の装置で取り扱う払込通知票は、領収証部分の大きさ、捺印位置、切り離し位置が統一されておらず、そのためこれら複数種類の払込通知票に対して正確に捺印したり、正規の位置で領収証部分を切り離したりするには、払込通知票を複数の方向から挿入できるようにしたり、領収証部分切り離しを複数の位置で行えるようにする必要があり、そのため、構造が複雑化し、かつ装置が大型化、高価格化すると共に、動作の信頼性も低下するという問題があった。
【０００７】
従って、本発明は、構造の簡素化、小型化、及び低価格化を図ることができると共に、動作の信頼性を向上させることが可能な清算装置を実現することを課題としている。
【０００８】
【課題を解決するための手段】
そのため、本発明は、帳票処理部に挿入された払込通知票のイメージから領収証部分のイメージをイメージ切り取り手段により切り取ると共に、前記払込通知票から払込に必要な情報を読み取り、前記払込に必要な情報に基づく払込金額を清算金額として表示手段に表示して、これにより現金処理部に投入された現金を処理した後、前記イメージ切り取り手段により切り取った領収証部分のイメージを、前記帳票処理部で読み取った払込に必要な情報と共に領収証発行部で媒体に印字して領収証として発行することを特徴とする。
【０００９】
【発明の実施の形態】
以下に図面を参照して本発明の実施の形態について説明する。
図１は本発明による清算装置の第１の実施の形態を示す斜視図で、この清算装置は、帳票処理部１、現金処理部としての紙幣処理部２と硬貨処理部３、表示手段としてのディスプレイ部４、領収証発行部５、及び制御部６を備えている。
【００１０】
ここで帳票処理部１は、図示しないＯＣＲ装置やバーコードスキャナ等により構成され、各種払込通知票に表記されている払込先や、払込金額、払込人の情報を読み取る機能を有している。
紙幣処理部２と硬貨処理部３は、顧客またはオペレータにより投入された現金を計数し、必要に応じて釣り銭を払い出す機能を備えている。
【００１１】
ディスプレイ部４は、少なくとも顧客またはオペレータに清算金額を通知する手段とて働くものである。
領収証発行部５は所定の媒体（用紙）に払込先や、払込金額、払込人の情報印字し、領収証として顧客またはオペレータに発行する手段である。
制御部６は上記各部と情報のやり取りをして装置全体の動作を制御するものである。
【００１２】
次に上述した構成の作用を説明する。
顧客またはオペレータにより払込通知票が帳票処理部１に挿入されると、図示しないＯＣＲ装置やバーコードスキャナ等により払込通知票に表記されている払込先や、払込金額、払込人の情報を読み取り、制御部６に情報を通知する。
この払込通知票は情報読み取り後、装置内の所定の収納部に収納される。
【００１３】
制御部６は通知された情報に基づいて清算金額をディスプレイ部４に表示し、これにより顧客またはオペレータに清算金額を通知する。
顧客またはオペレータが表示された金額に応じた現金を紙幣処理部２と硬貨処理部３に投入すると、紙幣処理部２と硬貨処理部３は投入された現金を計数し、収納して清算を行うと共に必要に応じて釣り銭を払い出す。
【００１４】
このとき、紙幣処理部２と硬貨処理部３は制御部６から予め請求金額の情報を得ておき、以後制御部６と情報の授受を行わずに釣り銭の払い出し処理まで行ってもよく、また紙幣処理部２と硬貨処理部３が一括投入式のものであれば、投入された現金の計数結果の情報を制御部６に通知して、制御部６からの指示により釣り銭を払い出すようにしてもよい。
【００１５】
現金処理が終了すると、制御部６は領収証発行部５に対して払込先や、払込金額、払込人（顧客）の情報を通知し、そして払込通知票を装置内の所定の収納部に収納する。
領収証発行部５は制御部６からの情報に基づいて所定の媒体に印字を行い、領収証として顧客またはオペレータに発行する。
【００１６】
図２はこの領収証発行部５により発行された領収証の例を示す図で、払い先の会社名、お支払い金額（払込金額）、払込お客様番号（払込人の情報）、お取扱い店、払込日付（年月日）等が印字されている。
この領収証を顧客またはオペレータが受け取ることで払込料金の清算処理はすべて完了する。
【００１７】
以上説明した第１の実施の形態によれば、領収証発行部により払込先や、払込金額、払込人の情報、及び日付等を印字した領収証を発行するようにしたので、払込通知票の領収証部分に領収印を捺印する機構や、この捺印した領収証部分を切り離して顧客またはオペレータに返却する機構が不要となり、そのため構造の簡素化、小型化、及び低価格化を図ることができると共に、動作の信頼性の高い装置となる。
【００１８】
図３は第２の実施の形態を示す斜視図である。
この第２の実施の形態による清算装置は、第１の実施の形態における帳票処理部１に各種の払込通知票のイメージを読み取る図示しないイメージスキャナを付加し、このイメージスキャナで読み取られた各種払込通知票のイメージから領収証のイメージを切り出す領収証イメージ切り出し手段７を設けたもので、その他の構成は第１の実施の形態と同様である。
【００１９】
次に上述した構成による第２の実施の形態の作用について説明する。
顧客またはオペレータにより払込通知票が帳票処理部１に挿入されると、この帳票処理部１に設けられているイメージスキャナは挿入された払込通知票のイメージを読み取り、読み取ったイメージを領収証イメージ切り出し手段７に通知する。
【００２０】
また、帳票処理部１のＯＣＲ装置やバーコードスキャナ等により払込通知票に表記されている払込先や、払込金額、払込人等の情報を読み取り、読み取った情報を制御部６に通知する。
領収証イメージ切り出し手段７は、イメージスキャナから送られてきた払込通知票のイメージから領収証部分のイメージを切り出し、切り出した領収証部分のイメージの情報を領収証発行部５に通知する。
【００２１】
一方、制御部６は通知された情報に基づいて清算金額をディスプレイ部４に表示し、これにより顧客またはオペレータに通知する。
顧客またはオペレータが表示された清算金額に応じた現金を紙幣処理部２と硬貨処理部３に投入すると、この紙幣処理部２と硬貨処理部３は投入された現金を第１の実施の形態と同様に処理し、そしてこの処理が終了すると、制御部６は領収証発行部５に対して払込先や、払込金額、払込人の情報を通知する。
【００２２】
これにより領収証発行部５は領収証イメージ切り出し手段７から送られてきている払込通知票の領収証部分のイメージ情報と、払込先や、払込金額、払込人の情報を領収証に印字し、顧客またはオペレータに発行する。
図４はこの領収証発行部５により発行された領収証の例を示す図で、払込先の会社名、お支払い金額（払込金額）、払込お客様番号（払込人の情報）、お取扱い店、払込日付（年月日）等と共に、払込通知票の領収証部分のイメージが印字されている。
【００２３】
この領収証を顧客またはオペレータが受け取ることで払込料金の清算処理はすべて完了する。
以上説明した第２の実施の形態によれば、領収証発行部により払込先や、払込金額、払込人の情報、及び日付等と共に、払込通知票の領収証部分のイメージを印字した領収証を発行するようにしたので、払込通知票の領収証部分に領収印を捺印する機構や、この捺印した領収証部分を切り離して顧客またはオペレータに返却する機構が不要となる。
【００２４】
また、この実施の形態では領収証イメージ切り出し手段を設けているが、データを処理する部分であり、極めて小さいものである。
従って、この第２の実施の形態も、第１の実施の形態と同様に構造の簡素化、小型化、及び低価格化を図ることができると共に、動作の信頼性の高い装置となり、しかも、顧客またはオペレータは挿入した払込通知票の領収証部分のイメージを印字した領収証を受け取ることができるので、違和感が少ないというメリットがある。
【００２５】
図５は第３の実施の形態を示す斜視図である。
この第３の実施の形態による清算装置は、第２の実施の形態の構成に加えて、処理当日の日付情報や取り扱った装置を特定する装置番号等の情報の入った領収印のイメージを生成する領収印イメージ生成手段８と、領収証イメージ切り出し手段７により切り出された領収証のイメージの領収印押捺部分に領収印イメージ生成手段８で生成された領収印のイメージを重ね合わせるイメージ重ね合わせ手段９を設けたものである。
【００２６】
次に上述した構成による第３の実施の形態の作用について説明する。
顧客またはオペレータにより払込通知票が帳票処理部１に挿入されると、イメージスキャナは挿入された払込通知票のイメージを読み取り、読み取ったイメージの情報を領収証イメージ切り出し手段７に通知する。
また、帳票処理部１のＯＣＲやバーコードスキャナ等により払込通知票に表記されている払込先や、払込金額、払込人の情報を読み取り、読み取った情報を制御部４に通知する。
【００２７】
領収証イメージ切り出し手段７は、イメージスキャナから送られてきた払込通知票のイメージから領収証部分のイメージを切り出し、切り出した領収証部分のイメージをイメージ重ね合わせ手段９に通知する。
そして、領収印イメージ生成手段８は処理当日の日付情報や取り扱った装置を特定する装置番号あるいは取り扱った店等の情報の入った領収印のイメージを生成してイメージ重ね合わせ手段９に通知し、イメージ重ね合わせ手段９は領収証イメージ切り出し手段７から送られてきた領収証のイメージの領収印押捺部分に領収印イメージ生成手段８から送られてきた領収印のイメージを重ね合わせ、それを領収証イメージ情報として領収証発行部５に通知する。
【００２８】
一方、制御部６は通知された情報に基づいて清算金額をディスプレイ部４に表示し、これにより顧客またはオペレータに通知する。
顧客またはオペレータが表示された清算金額に応じた現金を紙幣処理部２と硬貨処理部３に投入すると、この紙幣処理部２と硬貨処理部３は投入された現金を第１の実施の形態と同様に処理し、そしてこの処理が終了すると、制御部６は領収証発行部５に対して払込先や、払込金額、払込人の情報を通知する。
【００２９】
領収証発行部５はイメージ重ね合わせ手段９から送られてきている払込通知票の領収証部分の領収印のあるイメージと、払込先や、払込金額、払込人の情報を所定の媒体に印字し、領収証として顧客またはオペレータに発行する。
図６はこの領収証発行部５により発行された領収証の例を示す図で、払い先の会社名、お支払い金額（払込金額）、払込お客様番号（払込人の情報）、お取扱い店、払込日付（年月日）等と共に、払込通知票の領収証部分のイメージが印字され、更に払込通知票の領収証部分における領収印押捺部分に日付及び取扱店名入りの領収印のイメージが印字されている。
【００３０】
この領収証を顧客またはオペレータが受け取ることで払込料金の清算処理はすべて完了する。
以上説明した第３の実施の形態によれば、領収証発行部により払込先や、払込金額、払込人の情報を印字すると共に、領収印押捺部分に領収印のイメージを入れた領収証部分のイメージを印字した領収証を発行するようにしたので、払込通知票の領収証部分に領収印を捺印する機構や、この捺印した領収証部分を切り離して顧客またはオペレータに返却する機構が不要となる。
【００３１】
また、この実施の形態では領収証イメージ切り出し手段、領収印イメージ生成手段、イメージ重ね合わせ手段を設けているが、これらはデータを処理する回路であり、極めて小さいものである。
従って、この第３の実施の形態も、第１の実施の形態と同様に構造の簡素化、小型化、及び低価格化を図ることができると共に、動作の信頼性の高い装置となり、しかも、顧客またはオペレータは挿入した払込通知票の領収証部分のイメージ及び領収印のイメージを印字した領収証を受け取ることができるので、違和感がより少ないというメリットがある。
【００３２】
【発明の効果】
以上説明したように、本発明は、帳票処理部で払込通知票から読み取った払込先や、払込金額、払込人の情報を領収証発行部で媒体に印字して領収証として発行するか、イメージ切り取り手段により切り取った領収証部分のイメージを、帳票処理部で読み取った払込先や、払込金額、払込人の情報と共に領収証発行部で媒体に印字して領収証として発行するか、あるいは、切り取ったイメージの領収印捺印部分に領収印イメージ生成手段で生成した領収印のイメージを重ね合わせて領収証イメージとし、この領収証イメージを、前記帳票処理部で読み取った払込先や、払込金額、払込人の情報と共に領収証発行部で媒体に印字して領収証として発行するようにしている。
【００３３】
従って本発明によれば、払込通知票の領収証部分に領収印を捺印する機構や、この捺印した領収証部分を切り離して顧客またはオペレータに返却する機構が不要となり、そのため構造の簡素化、小型化、及び低価格化を図ることができると共に、動作の信頼性の高い装置を実現できるという効果が得られる。
【図面の簡単な説明】
【図１】本発明の第１の実施の形態を示す斜視図。
【図２】第１の実施の形態で発行する領収証の例を示す図。
【図３】第２の実施の形態を示す斜視図。
【図４】第２の実施の形態で発行する領収証の例を示す図。
【図５】第３の実施の形態を示す斜視図。
【図６】第３の実施の形態で発行する領収証の例を示す図。
【図７】従来技術を示す斜視図。
【図８】従来技術における帳票処理部の構成を示す図。
【符号の説明】
１  帳票処理部
２  紙幣処理部
３  硬貨処理部
４  ディスプレイ部
５  領収証発行部
６  制御部
７  領収証イメージ切り出し手段
８  領収印イメージ生成手段
９  イメージ重ね合わせ手段
【図１】
0004507357.tif 000002
【図２】
0004507357.tif 000003
【図３】
0004507357.tif 000004
【図４】
0004507357.tif 000005
【図５】
0004507357.tif 000006
【図６】
0004507357.tif 000007
【図７】
0004507357.tif 000008
【図８】
0004507357.tif 000009